(57)【特許請求の範囲】
【請求項１】
先端側の所定長部分を略円筒状または略円柱状の案内部とすると共に、前記案内部の先端に設けた被保護部を有し、前記案内部の外周面に、軸方向に対して所定の傾斜角度で基端側から先端側へとらせん状に延びる案内溝を形成すると共に、前記案内溝を前記案内部の周方向に所定の角度範囲で形成した本体と、
前記本体の案内溝に挿着自在な第１の係合凸部及び第２の係合凸部を、前記本体の案内溝に対応するよう前記案内溝の基端側及び先端側にそれぞれ一体的に配置すると共に、前記第１の係合凸部及び第２の係合凸部を前記案内溝の全長の約１／２の間隔で離間配置したキャップとを備え、
前記キャップは、前記第１及び第２の係合凸部を前記本体の案内溝にそれぞれ挿着した状態で前記本体の案内部に装着され、前記本体の案内部に対して正逆方向に回転することにより、前記第１及び第２の係合凸部が前記本体の案内溝に沿って移動案内されることで前記本体の案内部に沿って軸心方向に前進及び後退自在であり、前記第２の係合凸部を前記本体の案内溝の先端に配置したときに、前記被保護部をその内部に完全に没入させて保護する保護位置となると共に、前記第１の係合凸部を前記本体の案内溝の基端に配置したときに、前記被保護部を外部に露出する露出位置となることを特徴とするキャップ付日用具。
【請求項２】
先端側の所定長部分を略円筒状の案内部とすると共に、前記案内部の先端から露出する筆記部を有し、前記案内部の外周面に、軸方向に対して所定の傾斜角度で基端側から先端側へとらせん状に延びる案内溝を形成すると共に、前記案内溝を前記案内部の周方向に所定の角度範囲で形成した本体と、
前記本体の案内溝に挿着自在な第１の係合凸部及び第２の係合凸部を、前記本体の案内溝に対応するよう前記案内溝の基端側及び先端側にそれぞれ一体的に配置すると共に、前記第１の係合凸部及び第２の係合凸部を前記案内溝の全長の約１／２の間隔で離間配置したキャップとを備え、
前記キャップは、前記第１及び第２の係合凸部を前記本体の案内溝にそれぞれ挿着した状態で前記本体の案内部に装着され、前記本体の案内部に対して正逆方向に回転することにより、前記第１及び第２の係合凸部が前記本体の案内溝に沿って移動案内されることで前記本体の案内部に沿って軸心方向に前進及び後退自在であり、前記第２の係合凸部を前記本体の案内溝の先端に配置したときに、前記筆記部をその内部に完全に没入させて保護する保護位置となると共に、前記第１の係合凸部を前記本体の案内溝の基端に配置したときに、前記筆記部を外部に露出する露出位置となることを特徴とするキャップ付筆記具としてのキャップ付日用具。
【請求項３】
前記被保護部は、前記案内部の先端に設けた印面であり、
前記キャップは、前記第２の係合凸部を前記本体の案内溝の先端に配置したときに、前記印面をその内部に完全に没入させて保護する保護位置となると共に、前記第１の係合凸部を前記本体の案内溝の基端に配置したときに、前記印面を外部に露出して押印の用に供する露出位置となることを特徴とするキャップ付印鑑としての請求項１記載のキャップ付日用具。
【請求項４】
前記被保護部は、前記案内部の先端から突出するよう前記案内部に設けた化粧用塗布部であり、
前記キャップは、前記第２の係合凸部を前記本体の案内溝の先端に配置したときに、前記化粧用塗布部をその内部に完全に没入させて保護する保護位置となると共に、前記第１の係合凸部を前記本体の案内溝の基端に配置したときに、前記化粧用塗布部を外部に露出して塗布の用に供する露出位置となることを特徴とするキャップ付化粧用具としての請求項1記載のキャップ付日用具。
【請求項５】
前記キャップは、軸心に対して前記本体の案内溝の傾斜角度と同一の傾斜角度で傾斜する楕円状の摺接端面を基端に有し、
前記本体は、前記キャップの摺接端面と同一の傾斜角度で傾斜し、前記摺接端面と整合する楕円状の摺接段差面を前記案内部の基端に有し、
前記キャップを前記露出位置としたときに前記キャップの摺接端面が前記本体の摺接段差面に整合して当接し、前記キャップを回転して前記露出位置から前記被覆位置へと前進するとき、及び、前記キャップを逆方向に回転して前記被覆位置から前記露出位置へと後退するときに、前記キャップの摺接端面の一部が前記本体の摺接段差面に常に摺接するようにし、前記本体の案内溝における前記キャップの第１及び第２の係合凸部の移動案内と、前記本体の摺接段差面に対する前記キャップの摺接端面の摺接案内との協働により、前記本体に対して前記キャップを移動案内するようにしたことを特徴とする請求項１乃至４のいずれか１記載のキャップ付日用具。
【請求項６】
前記本体の案内溝は、前記本体の案内部に対する前記キャップの回転に伴い第１の係合凸部が描く第１の軌跡と、前記本体の案内部に対する前記キャップの回転に伴い第２の係合凸部が描く第２の軌跡とを連結した螺旋形状を有することを特徴とする請求項１乃至５のいずれか１記載のキャップ付日用具。
【請求項７】
前記本体の案内溝を前記案内部の外周面に互いに平行となるよう２本形成し、前記キャップの第１及び第２の係合凸部を前記本体の両案内溝に対応してそれぞれ設けたことを特徴とする請求項1乃至６のいずれか１記載のキャップ付日用具。
【請求項８】
前記キャップは、更に、前記第１の係合凸部と前記第２の係合凸部との間に、前記本体の案内溝に対応するよう一定間隔で一体的に配置された第３の係合凸部及び第４の係合凸部を有することを特徴とする請求項１乃至７のいずれか１記載のキャップ付日用具。
【請求項９】
前記本体の案内溝は、前記案内部に対する前記キャップの回転に伴い前記各係合凸部が通過可能なよう、前記キャップの回転に伴い前記各係合凸部が描く全ての軌跡を包含する幅を有する請求項１，２，３，４，５，７及び８のいずれか１項記載のキャップ付日用具。
【発明の詳細な説明】
【技術分野】
【０００１】
本発明は、芯やペン先をキャップにより保護する鉛筆、ボールペン、万年筆等のキャップ付筆記具、化粧筆等のキャップ付化粧用具及びキャップ付印鑑を含むキャップ付日用具に関し、特に、キャップ部分を改良したキャップ付日用具に関する。
【背景技術】
【０００２】
従来、キャップ付筆記具は、芯やペン先を有する本体と、本体に着脱自在に装着されるキャップとからなり、保管時（非使用時）には本体にキャップを被せて芯やペン先を覆って保護し、使用時（筆記時）にはキャップを本体から取外して芯やペン先を露出する。しかし、従来のキャップ付筆記具は、使用時にキャップを本体から取外す必要があり、取外したキャップが紛失する可能性がある。また、キャップを紛失した場合、芯やペン先が常に露出することになり、芯やペン先が損傷する可能性が大きい。そこで、かかる不具合を未然に防止する筆記具として、例えば、特許文献１に記載の技術がある。
【特許文献１】特開２０００−１９８２９４号公報
【０００３】
特許文献１には、ペンシル先端に筒状のスライド式キャップを設け、キャップ内部の突起物がペンシル本体の切り溝を経路として移動することにより、同じ様にキャップがスライドしていくようにしたキャップ付ペンシルが開示されている。特許文献１によれば、このキャップ付ペンシルは、迅速にキャップの開閉ができて、キャップの紛失防止及びペンシル先端の保護が可能であるとされている。
【発明の開示】
【発明が解決しようとする課題】
【０００４】
しかし、特許文献１に記載の技術は、ペンシル本体の外周面の周方向に１８０度対向した位置に、それぞれ、両端を若干反対方向に傾斜させた直線状の切り溝を形成する一方、スライド式キャップのが内周面の周方向に１８０度対向した位置（軸方向同一位置）に、それぞれ、突起物を形成している。よって、スライド式キャップを移動する場合、移動開始時及び移動終了には、前記突起物を前記切り溝の両端に位置させるため、スライド式キャップを反時計回り方向または時計回り方向に若干回転するものの、基本的に、スライド式キャップの移動はペンシル本体に対して直線的に行われる。したがって、スライド式キャップの移動自体は、従来のキャップ付筆記具のキャップの移動と同様の雰囲気で行われる。また、スライド式キャップの一つの突起物がペンシル本体の一つの切り溝を直線的に移動して、スライド式キャップを移動案内する構成のため、突起物の太さ乃至直径と切り溝の幅とを精度高く略同一寸法としないと、幅スライド式キャップが移動時にぐらつく可能性がある。更に、ペンシル本体の外周面に上記構成の切り溝を対向して一対形成するため、その加工が煩雑となる可能性がある。【０００５】
一方、キャップ付筆記具以外にも、チークブラシやリップブラシ等の化粧用具としての化粧筆は、非使用時にその塗布部となる筆（ブラシ）部分を保護することが好ましい。同様に、スタンプや浸透印等の文房具としての印鑑（印章）は、非使用時にその印写部となる印面を保護することが好ましい。【０００６】
そこで、本発明は、キャップを本体に対して回転しつつ移動することにより、キャップの移動時に独特の美観乃至雰囲気を呈すると共に、キャップを本体に対して円滑に移動案内することができるキャップ付筆記具、キャップ付化粧用具、キャップ付印鑑等のキャップ付日用具の提供を課題とする。
【課題を解決するための手段】
【０００７】
請求項１に係るキャップ付日用具は、先端側の所定長部分を略円筒状または略円柱状の案内部とすると共に、前記案内部の先端に設けた被保護部を有し、前記案内部の外周面に、軸方向に対して所定の傾斜角度で基端側から先端側へとらせん状に延びる案内溝を形成すると共に、前記案内溝を前記案内部の周方向に所定の角度範囲で形成した本体と、前記本体の案内溝に挿着自在な第１の係合凸部及び第２の係合凸部を、前記本体の案内溝に対応するよう前記案内溝の基端側及び先端側にそれぞれ一体的に配置すると共に、前記第１の係合凸部及び第２の係合凸部を前記案内溝の全長の約１／２の間隔で離間配置したキャップとを備える。前記キャップは、前記第１及び第２の係合凸部を前記本体の案内溝にそれぞれ挿着した状態で前記本体の案内部に装着され、前記本体の案内部に対して正逆方向に回転することにより、前記第１及び第２の係合凸部が前記本体の案内溝に沿って移動案内されることで前記本体の案内部に沿って軸心方向に前進及び後退自在であり、前記第２の係合凸部を前記本体の案内溝の先端に配置したときに、前記被保護部をその内部に完全に没入させて保護する保護位置となると共に、前記第１の係合凸部を前記本体の案内溝の基端に配置したときに、前記被保護部を外部に露出する露出位置となる。【０００８】
請求項２に係るキャップ付筆記具としてのキャップ付日用具は、先端側の所定長部分を略円筒状の案内部とすると共に、前記案内部の先端から露出する筆記部を有し、前記案内部の外周面に、軸方向に対して所定の傾斜角度で基端側から先端側へとらせん状に延びる案内溝を形成すると共に、前記案内溝を前記案内部の周方向に所定の角度範囲で形成した本体と、前記本体の案内溝に挿着自在な第１の係合凸部及び第２の係合凸部を、前記本体の案内溝に対応するよう前記案内溝の基端側及び先端側にそれぞれ一体的に配置すると共に、前記第１の係合凸部及び第２の係合凸部を前記案内溝の全長の約１／２の間隔で離間配置したキャップとを備える。前記キャップは、前記第１及び第２の係合凸部を前記本体の案内溝にそれぞれ挿着した状態で前記本体の案内部に装着され、前記本体の案内部に対して正逆方向に回転することにより、前記第１及び第２の係合凸部が前記本体の案内溝に沿って移動案内されることで前記本体の案内部に沿って軸心方向に前進及び後退自在であり、前記第２の係合凸部を前記本体の案内溝の先端に配置したときに、前記筆記部をその内部に完全に没入させて保護する保護位置となると共に、前記第１の係合凸部を前記本体の案内溝の基端に配置したときに、前記筆記部を外部に露出する露出位置となる。【０００９】
請求項３に係るキャップ付日用具は、請求項１記載の構成をキャップ付印鑑に具体化したものであり、前記被保護部は、前記案内部の先端に設けた印面である。また、前記キャップは、前記第２の係合凸部を前記本体の案内溝の先端に配置したときに、前記印面をその内部に完全に没入させて保護する保護位置となると共に、前記第１の係合凸部を前記本体の案内溝の基端に配置したときに、前記印面を外部に露出して押印の用に供する露出位置となる。【００１０】
請求項４に係るキャップ付日用具は、請求項１記載の構成をキャップ付化粧用具に具体化したものであり、前記被保護部は、前記案内部の先端から突出するよう前記案内部に設けた化粧用塗布部（ブラシ、筆、アイカラーチップ、化粧用ペンシル等）である。また、前記キャップは、前記第２の係合凸部を前記本体の案内溝の先端に配置したときに、前記化粧用塗布部をその内部に完全に没入させて保護する保護位置となると共に、前記第１の係合凸部を前記本体の案内溝の基端に配置したときに、前記化粧用塗布部を外部に露出して塗布の用に供する露出位置となる。【００１１】
請求項５に係るキャップ付日用具は、請求項１乃至４のいずれかの構成において、前記キャップが、軸心に対して前記本体の案内溝の傾斜角度と同一の傾斜角度で傾斜する楕円状の摺接端面を基端に有し、前記本体は、前記キャップの摺接端面と同一の傾斜角度で傾斜し、前記摺接端面と整合する楕円状の摺接段差面を前記案内部の基端に有し、前記キャップを前記露出位置としたときに前記キャップの摺接端面が前記本体の摺接段差面に整合して当接し、前記キャップを回転して前記露出位置から前記被覆位置へと前進するとき、及び、前記キャップを逆方向に回転して前記被覆位置から前記露出位置へと後退するときに、前記キャップの摺接端面の一部が前記本体の摺接段差面に常に摺接するようにし、前記本体の案内溝における前記キャップの第１及び第２の係合凸部の移動案内と、前記本体の摺接段差面に対する前記キャップの摺接端面の摺接案内との協働により、前記本体に対して前記キャップを移動案内するようにした。【００１２】
請求項６に係るキャップ付日用具は、請求項１乃至５のいずれかの構成において、前記本体の案内溝が、前記本体の案内部に対する前記キャップの回転に伴い第１の係合凸部が描く第１の軌跡と、前記本体の案内部に対する前記キャップの回転に伴い第２の係合凸部が描く第２の軌跡とを連結した螺旋形状を有する。【００１３】
請求項７に係るキャップ付日用具は、請求項１乃至６のいずれかの構成において、前記本体の案内溝を前記案内部の外周面に互いに平行となるよう２本形成し、前記キャップの第１及び第２の係合凸部を前記本体の両案内溝に対応してそれぞれ設けた。【００１４】
請求項８に係るキャップ付日用具は、請求項１乃至７のいずれかの構成において、前記キャップが、更に、前記第１の係合凸部と前記第２の係合凸部との間に、前記本体の案内溝に対応するよう一定間隔で一体的に配置された第３の係合凸部及び第４の係合凸部を有する。【００１５】
請求項９に係るキャップ付日用具は、請求項１，２，３，４，５，７及び８のいずれかの構成において、前記本体の案内溝が、前記案内部に対する前記キャップの回転に伴い前記各係合凸部が通過可能なよう、前記キャップの回転に伴い前記各係合凸部が描く全ての軌跡を包含する幅を有する。
【発明の効果】
【００１６】
本発明に係るキャップ付日用具は、キャップ付筆記具、キャップ付化粧用具、キャップ付印鑑等に具体化され、キャップを本体に対して回転しつつ移動することにより、キャップの移動時に独特の美観乃至雰囲気を呈すると共に、キャップを本体に対して円滑に移動案内することができる。更に、案内溝を設ける場合も、その加工が簡単になる。
【図面の簡単な説明】
【００１７】
【図１】図１は本発明の実施の形態１に係るキャップ付筆記具の内部構造を透視して、本体の案内溝とキャップの係合凸部との関係及び本体の摺接端面とキャップの摺接端面との関係をそれぞれ示す平面図であり、（ａ）はキャップを露出位置とした状態を、（ｂ）はキャップを被覆位置とした状態をそれぞれ示す。
【図２】図２は本発明の実施の形態１に係るキャップ付筆記具の内部構造を透視して、本体の案内溝とキャップの係合凸部との関係及び本体の摺接端面とキャップの摺接端面との関係をそれぞれ示す右側面図であり、（ａ）はキャップを露出位置とした状態を、（ｂ）はキャップを被覆位置とした状態をそれぞれ示す。
【図３】図３は本発明の実施の形態１に係るキャップ付筆記具の内部構造を透視して、本体の案内溝とキャップの係合凸部との関係及び本体の摺接端面とキャップの摺接端面との関係をそれぞれ示す斜視図であり、（ａ）はキャップを露出位置とした状態を、（ｂ）はキャップを被覆位置とした状態をそれぞれ示す。
【図４】図４は本発明の実施の形態１に係るキャップ付筆記具のキャップを露出位置から被覆位置まで移動する場合の本体とキャップとの関係を示す平面図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図５】図５は本発明の実施の形態１に係るキャップ付筆記具のキャップを露出位置から被覆位置まで移動する場合の本体とキャップとの関係を示す右側面図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図６】図６は本発明の実施の形態１に係るキャップ付筆記具のキャップを露出位置から被覆位置まで移動する場合の本体とキャップとの関係を示す斜視図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図７】図７は本発明の実施の形態１に係るキャップ付筆記具の本体とキャップの係合凸部との関係を３次元座標で示す模式図であり、（ａ）は本体の摺接端面をｘｚ平面に表し、（ｂ）はキャップの係合凸部をｘｙ平面に表す。
【図８】図８は本発明の実施の形態１に係るキャップ付筆記具の本体の摺接端面とキャップの摺接端面との関係を３次元座標で示す模式図であり、（ａ）はキャップを被覆位置とした状態をｘｚ平面に表し、（ｂ）はキャップを露出位置とした状態をｘｚ平面に表す。
【図９】図９は本発明の実施の形態１に係るキャップ付筆記具のキャップの係合凸部の軌跡を３次元座標のｘｚ平面に示す模式図である。
【図１０】図１０は本発明の実施の形態１に係るキャップ付筆記具のキャップの係合凸部の軌跡を示す模式図であり、（ａ）は軌跡部分を斜視的に見た図、（ｂ）は軌跡部分を上方から見た図、（ｃ）は軌跡部分を下方から見た図である。
【図１１】図１１は本発明の実施の形態２に係るキャップ付筆記具の本体の案内溝を示す模式図であり、（ａ）は案内溝部分を右側方から見た図、（ｃ）は案内溝部分を上方から見た図である。
【図１２】図１２は本発明の実施の形態３に係るキャップ付印鑑のキャップを露出位置から被覆位置まで移動する場合の本体とキャップとの関係を示す平面図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図１３】図１３は本発明の実施の形態３に係るキャップ付印鑑のキャップを露出位置から被覆位置まで移動する場合の本体とキャップとの関係を示す斜視図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図１４】図１４は本発明の実施の形態４に係るキャップ付筆記具のキャップを露出位置から被覆位置まで移動する場合の本体とキャップとの関係を示す平面図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図１５】図１５は本発明の実施の形態４に係るキャップ付筆記具のキャップを露出位置から被覆位置まで移動する場合の本体とキャップとの関係を示す斜視図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図１６】図１６は本発明の実施の形態５に係るキャップ付筆記具のキャップを露出位置から被覆位置まで移動する場合の本体とキャップとの関係を示す平面図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【図１７】図１７は本発明の実施の形態５に係るキャップ付筆記具のキャップを露出位置から被覆位置まで移動する場合の本体とキャップとの関係を示す斜視図であり、（ａ）はキャップを露出位置とした状態を、（ｄ）はキャップを被覆位置とした状態を、（ｂ）及び（ｃ）は露出位置から被覆位置に至るまでの途中の状態をそれぞれ示す。
【符号の説明】
【００１８】
１０，２１０，３１０，４１０：本体、１１，２１１，３１１，４１１：支持部
１１ａ：摺接段差面、１２，２１２，３１２，４１２：案内部
１３：筆記部（被保護部）、２１３：印面（被保護部）
３１３，４１３：ブラシ部（被保護部）
１５，２１５，３１５，４１５：案内溝、２０，２２０，３２０，４２０：キャップ
２０ａ：摺接端面、２１，２２：係合凸部
【発明を実施するための最良の形態】
【００１９】
以下、本発明を実施するための最良の形態（以下、実施の形態という）を説明する。【００２０】
実施の形態１
まず、実施の形態１に係るキャップ付筆記具の構成を、図１〜図３を参照して説明する。図１〜図３に示すように、実施の形態１のキャップ付筆記具は、本体１０及びキャップ２０を備える。本体１０は、基端側を若干小径とした略円筒状をなす支持部１１の先端に、先端側を若干小径とした略円筒状の案内部１２を一体形成した略円筒状をなしている。また、本体１０は、案内部１２の先端から露出する芯またはペン先等の筆記部１３を有する。筆記部としては、ボールペンのペン先、万年筆のペン先の他、鉛筆の芯等を例示することができる。即ち、実施の形態１のキャップ付筆記具は、通常のボールペンや万年筆の他、ゴルフ場のスコアの筆記に使用される簡易鉛筆（プラスチック製の本体の先端に鉛筆の芯を固着したもの）等にも具体化することができる。更に、前記案内部１２は、本体１０の前記支持部１１より先端側の所定長部分を構成し、その基端側の略半部（後半部）の外周面（表面）に案内溝１５を形成している。案内溝１５は、案内部１２の軸方向に対して約４５度の傾斜角度で基端側から先端側へと延びる螺旋曲線からなる。また、案内溝１５は、案内部１２の周方向に約３６０度の角度範囲で形成されている。更に、案内溝１５は、案内部１２の下側中央（周方向における下側中央）から上側中央（周方向における上側中央）を経て下側中央（周方向における下側中央）へと、筆記部１３から見て時計回り方向に螺旋状に延びている。かかる案内溝１５の螺旋曲線は、正弦曲線、サイクロイド曲線、またはそれらに近似した曲線等として表すことができる。なお、案内部１２の案内溝１５に対応する長さ部分は、ほぼ円筒状となっている。【００２１】
一方、キャップ２０は、本体１０の案内溝１５に挿着自在な第１の係合凸部２１及び第２の係合凸部２２を、本体１０の案内溝１５に対応するよう案内溝１５の基端側及び先端側にそれぞれ一体的に配置している。第１の係合凸部２１及び第２の係合凸部２２は、例えば、キャップ２０の内周面から半径方向に突出する小円柱状をなす。また、第１の係合凸部２１及び第２の係合凸部２２は、案内溝１５の全長の約１／２の間隔で離間配置されている。これにより、第１の係合凸部２１及び第２の係合凸部２２は、案内溝１５の角度範囲に対応して、案内部１２の周方向に１８０度の角度間隔で配置されている。キャップ２０は、第１及び第２の係合凸部２１，２２を本体１０の案内溝１５にそれぞれ挿着した状態で本体１０の案内部１２に装着される。そして、本体１０の案内部１２に対してキャップ２０を正逆方向（筆記部１３から見て時計回り方向及び反時計回り方向）に回転することにより、第１及び第２の係合凸部２１，２２が本体１０の案内溝１５に沿って移動案内される。これにより、本体１０の案内部１２に沿ってキャップ２０を軸心方向に前進（先端側へ移動）及び後退（基端側へ移動）自在となっている。ここで、図１（ａ）、図２（ａ）、図３（ａ）に示すように、キャップ２０は、第１の係合凸部２１を本体１０の案内溝１５の基端に配置したときに、筆記部１３を先端から露出する露出位置となる。このとき、第１の係合凸部２１は、案内溝１５の基端に位置すると共に、第２の係合凸部２２は、案内溝１５の中央に位置する。一方、図１（ｂ）、図２（ｂ）、図３（ｂ）に示すように、キャップ２０は、第２の係合凸部２２を本体１０の案内溝１５の先端に配置したときに、筆記部１３を先端より内部に完全に被覆して保護する被覆位置となる。このとき、第１の係合凸部２１は、案内溝１５の中央に位置すると共に、第２の係合凸部２２は、案内溝１５の先端に位置する。なお、案内溝１５は、基端及び先端間の部分では、第１の係合凸部２１及び第２の係合凸部２２の移動乃至摺動を円滑に行えるよう、第１の係合凸部２１及び第２の係合凸部２２の直径より若干大きい幅を有すると共に、基端及び先端では、それぞれ、第１の係合凸部２１及び第２の係合凸部２２を弾性的握持またはスナップフィット等により位置決めして保持可能なよう、例えば、第１の係合凸部２１及び第２の係合凸部２２の直径より若干小さい幅を有している。【００２２】
キャップ２０は、軸心に対して本体１０の案内溝１５の傾斜角度と同一の傾斜角度、即ち、約４５度の傾斜角度で傾斜する楕円状の摺接端面２０ａを基端に有している。即ち、キャップ２０は、円筒の基端部を軸心に対して約４５度の角度で切断した形状の摺接端面２０ａを有している。一方、本体１０は、キャップ２０の摺接端面２０ａと同一の傾斜角度（約４５度の傾斜角度）で傾斜し、摺接端面２０ａと整合する楕円状の摺接段差面１１ａを、案内部１２の基端、即ち、支持部１１の先端に有している。即ち、本体１０は、支持部１１の直径を案内部１２の直径より若干大きくし、支持部１１と案内部１２との境界部分に、軸心に対して約４５度の角度で傾斜する段差面状の摺接段差面１１ａを形成している。そして、キャップ２０を前記露出位置としたときにキャップ２０の摺接端面２０ａが本体１０の摺接段差面１１ａに整合して当接し、キャップ２０を正方向に回転して前記露出位置から前記被覆位置へと前進するとき、及び、キャップ２０を逆方向に回転して前記被覆位置から前記露出位置へと後退するときに、キャップ２０の摺接端面２０ａの一部が本体１０の摺接段差面１１ａに常に摺接するようにし、本体１０の案内溝１５におけるキャップ２０の第１及び第２の係合凸部２１，２２の移動案内と、本体１０の摺接段差面１１ａに対するキャップ２０の摺接端面２０ａの摺接案内との協働により、本体１０に対してキャップ２０を移動案内するようになっている。【００２３】
次に、実施の形態１に係るキャップ付筆記具の使用方法並びに作用及び効果を、図４〜図６を参照して説明する。実施の形態１のキャップ付筆記具は、使用時には、図４（ａ）、図５（ａ）、図６（ａ）に示すように、キャップ２０を露出位置としている。このとき、キャップ２０の楕円状の摺接端面２０ａは、本体１０の楕円状の摺接段差面１１ａに完全に（３６０度の範囲で）当接し、本体１０とキャップ２０との間に約４５度で傾斜する境界面乃至接合面が形成されている。この状態から、キャップ２０を時計回り方向に回転（正回転）していくと、第１及び第２の係合凸部２１，２２が本体１０の案内溝１５に沿って移動案内されると共に、摺接端面２０ａの湾曲状先鋭部（図５（ａ）の下端部）が本体１０の摺接段差面１１ａ上を摺接案内され、キャップ２０が、図４（ｂ）、図５（ｂ）、図６（ｂ）から図４（ｃ）、図５（ｃ）、図６（ｃ）の状態を経て、最終的に、図４（ｄ）、図５（ｄ）、図６（ｄ）に示すように、被覆位置となる。このとき、キャップ２０の摺接端面２０ａの湾曲状先鋭部が、本体１０の楕円状の摺接段差面１１ａの湾曲状先鋭部（図５（ａ）〜（ｄ）の上端部）に当接し、本体１０とキャップ２０との間に約９０度で交差する逆Ｖ字状（側方から見た場合）をなす独特形状の開放空間が形成されている。ここで、実施の形態１に係るキャップ付筆記具は、キャップ２０を本体１０に対して回転しつつ移動することにより、キャップ２０の移動時に独特の美観乃至雰囲気を呈することができ、特有の意匠的効果を発揮することができると共に、本体１０の案内溝１５によるキャップ２０の第１及び第２係合凸部２１，２２の移動案内と、本体１０の摺接段差面１１ａによるキャップ２０の摺接端面２０ａの摺接案内との協働により、キャップ２０を本体１０に対して円滑に移動案内することができ、移動案内の際にキャップ２０がぐらついたりすることがない。更に、本体１０の案内溝１５は、案内部１２に螺旋状に形成すればよいため、その加工が簡単になる。【００２４】
次に、実施の形態１のキャップ付筆記具において、キャップ２０の回転に伴い第１及び第２の係合凸部２１，２２が描く曲線状の回転軌跡と、本体１０の案内溝１５の螺旋曲線との関係について、図７〜図１０を参照して詳述する。まず、本体１０の支持部１１と案内部１２との境界部を円柱と擬制して、図７〜図９に示すような三次元座標に表すと、前記円柱の表面は以下の式（１）により表すことができる。
ｘ2＋ｙ2＝ｒ2  （ｘ＝ｒｃｏｓθ，ｙ＝ｒｓｉｎθ）・・・（１）
ただし、ｘは図１の状態における本体１０の上下方向（垂直方向乃至紙面と直交する方向）に延びる軸であり、ｙは図１の状態における本体１０の左右方向（水平方向）に延びる軸であり、ｚは図１の状態における本体１０の長さ方向に延びる軸である。
次に、円柱の表面を４５度で切断する平面は、原点を通るものとすると、以下の式（２）により表すことができる。
ｘｃｏｓγ＋ｙｓｉｎγ＋ｚ＝０  （ｘ＝ｒｃｏｓθ，ｙ＝ｒｓｉｎθ）・・・（２）
ただし、法線ベクトルは以下の式を満たすものとする。
ｘ02＋ｙ02＝ｒ2，ｚ0＝ｒ  （ｘ0＝ｒｃｏｓγ，ｙ0＝ｒｓｉｎγ，ｚ0＝ｒ）
次に、円柱の表面を４５度で切断したときの切口（切断面）の外周縁となる楕円（摺接段差面１１ａに対応）は、上記式（１）及び（２）より、以下の式（３）で表される。
ｘ＝ｒｃｏｓθ，ｙ＝ｒｓｉｎθ，ｚ＝−ｒｃｏｓ（θ−γ）・・・（３）
また、半径ｒの本体１０は、式（３）にγ＝πを代入して、以下の式（４）により表すことができる。
ｘ＝ｒｃｏｓθ，ｙ＝ｒｓｉｎθ，ｚ＝ｒｃｏｓθ・・・（４）
なお、図７（ａ）は本体１０の摺接段差面１１ａを示し、図７（ｂ）は本体１０の摺接段差面１１ａの先端（キャップ２０の摺接端面２０ａの基端乃至第２の係合凸部２２の位置に対応）及び基端（キャップ２０の摺接端面２０ａの先端乃至第１の係合凸部２１の位置に対応）の位置関係を示す。【００２５】
一方、キャップ２０は、切口の楕円断面（摺接端面２０ａ）が回転して角度を変えながら移動するため、図８（ａ）に示す初期状態（被覆位置）では、キャップ２０の楕円断面（摺接段差面１１ａ）は、式（３）にγ＝０を代入して、更に、本体１０の楕円断面（摺接段差面１１ａ）の中心を原点からｚ軸方向に２ｒずらし、以下の式（５）により表される。
ｘ＝ｒｃｏｓθ，ｙ＝ｒｓｉｎθ，ｚ＝−ｒｃｏｓθ＋２ｒ・・・（５）
また、図８（ｂ）に示すキャップ２０の最終状態（露出位置）は、上記式（４）の状態と一致するので、式（４）により表すことができる。
そして、キャップ２０の前記初期状態と最終状態との間の中間状態では、キャップ２０の先端が回転した角度がγであり、楕円端面の中心が原点からずれると共にそのずれはγによって変化するため、ずれをｆ（γ）とおくと、キャップ２０は、式（３）を用いて、以下の式（６）により表すことができる。
ｘ＝ｒｃｏｓθ，ｙ＝ｒｓｉｎθ，ｚ＝−ｒｃｏｓ（θ―γ）＋ｆ（γ）・・・（６）
ただし、０＜＝γ＜＝１８０°（キャップ２０の回転パラメータ）【００２６】
式（６）のｆ（γ）を、式（４）で表される本体１０と式（５）で表されるキャップ２０との接点の一致を表す式及び接線の傾きの一致を表す式から計算し、キャップ２０は、以下の式（７）として表すことができる。
ｘ＝ｒｃｏｓθ，ｙ＝ｒｓｉｎθ，ｚ＝−ｒｃｏｓ（θ―γ）＋２ｒｃｏｓγ／２  （０＜＝γ＜＝１８０°）・・・（７）
式（７）においてθ＝γの場合が、キャップ２０の先端（第１の係合凸部２１）を表すため、キャップ２０の先端は以下の式（８）により表すことができる。
ｘ＝ｒｃｏｓθ，ｙ＝ｒｓｉｎθ，ｚ＝−ｒ＋２ｒｃｏｓγ／２  （０＜＝γ＜＝１８０°）・・・（８）
これを０＜＝γ＜＝１８０°で移動すると、キャップ２０の基端に取付けた第１の係合凸部２１の軌跡となるため、式（８）においてｘとｚからγを消去して、第１の係合凸部２１の軌跡は、ｘとｚの関数である以下の式（９）により表すことができる。
ｘ＝１／２ｒ（ｚ＋ｒ）2−ｒ・・・（９）
一方、式（７）においてθ＝γ＋１８０°の場合が、キャップ２０の基端（第２の係合凸部２２）を表すため、キャップ２０の基端は以下の式（１０）により表すことができる。
ｘ＝−ｒｃｏｓγ，ｙ＝−ｒｓｉｎγ，ｚ＝ｒ＋２ｒｃｏｓγ／２  （０＜＝γ＜＝１８０°）・・・（１０）
これを０＜＝γ＜＝１８０°で移動すると、キャップ２０の基端に取付けた第２の係合凸部２２の軌跡となるため、式（１０）においてｘとｚからγを消去して、第２の係合凸部２２の軌跡は、ｘとｚの関数である以下の式（１１）により表すことができる。
ｘ＝−１／２ｒ（ｚ−ｒ）2＋ｒ・・・（１１）
図１０はこれらの軌跡を本体１０及びキャップ２０の側方から見て表す。即ち、第１の係合凸部２１の軌跡と、第２の係合凸部２２の軌跡とは、同一軌跡とはならず、図１０に示すように、滑らかに接続せず、若干の角度を持って交差している。【００２７】
したがって、実施の形態１では、本体１０の案内溝１５は、本体１０の案内部１２に対するキャップ２０の回転に伴い第１の係合凸部２１が描く第１の軌跡と、本体１０の案内部１２に対するキャップ２０の回転に伴い第２の係合凸部２２が描く第２の軌跡とを連結した螺旋形状を有する形状、即ち、図１０に示すような螺旋曲線とすることが好ましい。こうすると、本体１０の案内溝１５におけるキャップ２０の第１及び第２係合凸部２１，２２の移動を一層円滑に行うことができる。【００２８】
実施の形態２
図１１に示すように、実施の形態２に係るキャップ付筆記具は、本体１０の案内部１２の外周面に互いに平行となるよう形成した２本の案内溝１１５を有している。また、キャップ２０は、前記第１の係合凸部２１及び第２の係合凸部２２を、本体１０の両案内溝１１５に対応してそれぞれ設けている。なお、図１１では、黒丸はキャップ２０の露出位置に置ける第１及び第２の係合凸部２１，２２の位置を、白丸はキャップ２０の被覆位置に置ける第２の係合凸部２２の位置を示す。こうすると、本体１０の２本の案内溝１１５によるキャップ２０の二対の第１及び第２係合凸部２１，２２の移動案内と、本体１０の摺接段差面１１ａによるキャップ２０の摺接端面２０ａの摺接案内との協働により、キャップ２０を本体１０に対して円滑に移動案内することができ、移動案内の際のキャップ２０のぐらつき等をより一層効果的に防止することができる。【００２９】
ところで、本発明に係るキャップ付筆記具は、先端から露出する筆記部を有する本体と、本体に対し、周方向に所定角度回転することにより、その回転に同期して筆記部を完全に被覆して保護する被覆位置から筆記部を露出する露出位置へと回転しつつ後退して露出位置に移動するよう装着されたキャップとを備えるものであれば、上記各実施の形態の構成以外の任意の構成で具体化することができる。また、上記各実施の形態において、キャップ２０は、更に、第１の係合凸部２１と第２の係合凸部２２との間に、本体１０の案内溝１５，１１５に対応するよう一定間隔で一体的に配置された第３の係合凸部及び第４の係合凸部を有するよう構成することもできる。更に、本体１０の案内溝１５，１１５は、案内部１２に対するキャップ２０の回転に伴い各係合凸部２１，２２が通過可能なよう、キャップ２０の回転に伴い各係合凸部２１，２２が描く全ての軌跡を包含する幅を有するよう構成することもできる。【００３０】
また、本発明のキャップ付筆記具において、案内溝は、上記各実施の形態の構成以外にも、案内部１２の軸方向に対して所定の傾斜角度で基端側から先端側へと螺旋状に延びる螺旋曲線からなるものであればよく、実施の形態１の傾斜角度（約４５度）と異なる角度で傾斜する螺旋曲線とすることもできる。更に、本体１０の案内部１２に案内溝を設ける角度範囲も、実施の形態１の角度範囲（約３６０度）以外の任意の角度範囲とすることができる。しかし、本体１０の案内部１２には、少なくとも１８０度の角度範囲で案内溝を設けることが、キャップ２０を被覆位置と露出位置との間で回転移動する際の操作感の向上等の点から好ましい。また、本発明に係るキャップ付筆記具では、キャップに設ける係合凸部は1つのみとしてもよい。【００３１】
実施の形態３
図１２及び図１３に示すように、実施の形態３では、キャップ付日用具は、キャップ付浸透印からなるキャップ付印鑑に具体化されている。詳細には、実施の形態３は、上記実施の形態１の主要構成をキャップ付印鑑に具体化したものである。より詳細には、実施の形態３に係るキャップ付印鑑では、本体２１０は、円筒状をなす支持部２１１の先端に、若干小径の円筒状をなす案内部２１２を一体形成した略段付円筒状をなしている。また、本体２１０は、案内部２１２の先端面に一体形成された印面２１３を有している。印面２１３には、印鑑の印字乃至印影（例えば、岐阜等の文字）が螺刻等により形成されている。本体２１０の支持部２１１または案内部２１２の内部にはインク収容部が設けられ、印面２１３に所定色のインクを供給して印面２１３により所定の印字を押印（印写）自在となっている。なお、かかるキャップ付印鑑の印鑑部分としては、押印（捺印）により印影を印写できる任意のものを使用することができ、浸透印以外にも、外部の朱肉等を使用して押印する通常の印鑑タイプのものを使用することもできる。即ち、実施の形態３のキャップ付印鑑は、通常の印鑑、ゴム印、連続捺印が可能な浸透印乃至スタンプ型印鑑（例えば、スポンジ状等の印字体にインキを浸透させて連続押印するもの）等に具体化することができる。なお、前記案内部２１２は、実施の形態１のキャップ付筆記具と同様に、本体２１０において支持部２１１より先端側の所定長部分を構成し、案内部２１２の基端側の略半分（後半分）の外周面（表面）には、実施の形態１の案内溝１５と同様の構成（傾斜角度、角度範囲、溝幅、溝端の保持部等）の螺旋曲線からなる案内溝２１５が形成されている。【００３２】
一方、キャップ２２０は、実施の形態１と同様にして、本体２１０の案内溝２１５に挿着自在な第１及び第２の嵌合部を、本体２１０の案内溝２１５に対応するよう案内溝２１５の基端側及び先端側にそれぞれ一体的に配置している。なお、案内溝２１５に対する第１及び第２の係合凸部の構成（離間配置間隔、配置角度間隔、装着状態等）は、実施の形態１における案内溝１５に対する第１の係合凸部２１及び第２の係合凸部２２の場合と同様であり、実施の形態１の場合と同様にして、本体２１０の案内部２１２に対してキャップ２２０を正逆方向に回転することにより、第１及び第２の係合凸部が本体２１０の案内溝２１５に沿って移動案内され、本体２１０の案内部２１２に沿ってキャップ２２０を軸方向に前進及び後退自在となっている。また、キャップ２２０は、本体２１０の案内部２１２に対応した略円筒形状をなし、本体２１０の印面２１３が露出できるよう印面２１３の外径より若干大径の円形開口を先端に有している。ここで、実施の形態１と同様、キャップ２２０は、第１の係合凸部を本体２１０の案内溝２１５の基端に配置したときに、印面２１３を先端から露出して押印の用に供する露出位置となる。このとき、第２の係合凸部は、案内溝２１５の中央に位置する。一方、キャップ２２０は、第２の係合凸部を本体２１０の案内溝２１５の先端に配置したときに、印面２１３を円形開口の先端から内部に完全に没入させて保護する保護位置となる。このとき、第１の係合凸部は、案内溝２１５の中央に位置する。また、キャップ２２０は、実施の形態１の摺接端面２０ａと同様の構成の摺接端面を基端に有する一方、本体２１０は、実施の形態１の摺接段差面１１ａと同様の構成の接段差面を案内部２１２の基端に有している。そして、実施の形態１と同様にして、キャップ２２０を正逆回転して露出位置と保護位置との間で前進後退するときに、本体２１０の案内溝２１５におけるキャップ２２０の第１及び第２の係合凸部２の移動案内と、本体２１０の摺接段差面に対するキャップ２２０の摺接端面の摺接案内との協働により、本体２１０に対してキャップ２２０を移動案内するようになっている。【００３３】
次に、実施の形態３に係るキャップ付印鑑の使用方法並びに作用及び効果を、図１２〜図１３を参照して説明する。実施の形態３のキャップ付印鑑は、使用時には、図１２（ａ）、図１３（ａ）に示すように、キャップ２２０を露出位置とし、印面２１３がキャップ２２０の先端から外部に露出しており、印面２１３による押印が可能となっている。このとき、実施の形態１の場合と同様、キャップ２２０の摺接端面は、本体２１０の摺接段差面に３６０度の範囲で当接している。この状態から、キャップ２２０を正回転していくと、実施の形態１の場合と同様にして、第１及び第２の係合凸部が本体２１０の案内溝２１５に沿って移動案内されると共に、摺接端面の湾曲状先鋭部が本体２１０の摺接段差面上を摺接案内され、キャップ２２０が、図１２（ｂ）、図１３（ｂ）から図１２（ｃ）、図１３（ｃ）の状態を経て、最終的に、図１２（ｄ）、図１３（ｄ）に示すように、保護位置となり、印面２１３がキャップ２１０内部に完全に没入する。このようにして、実施の形態３に係るキャップ付印鑑は、実施の形態１と同様の作用及び効果を発揮する。【００３４】
実施の形態４
図１４及び図１５に示すように、実施の形態４では、キャップ付日用具は、キャップ付化粧筆の一種であるキャップ付化粧ブラシに具体化されている。詳細には、実施の形態４は、上記実施の形態１の主要構成を小径のキャップ付化粧ブラシに具体化したものである。より詳細には、実施の形態４に係るキャップ付化粧ブラシでは、本体３１０は、先端側へ向かって若干拡径するテーパー状の円筒状をなす支持部３１１の先端に、それより若干小径で、かつ、先端側へ向かって若干縮径するテーパー状の円筒状をなす案内部３１２を一体形成した略段付円筒状をなしている。また、本体３１０は、案内部３１２の先端面から突出するよう案内部３１２の先端にかしめ等により一体的に固着された化粧用塗布部としてのブラシ部３１３を有している。ブラシ部３１３は、外部の固形リップ剤等の化粧用料を使用者の唇等に塗布する比較的小径の筆状乃至筆穂状のものである。ブラシ部３１３は、小径の筆状乃至筆穂状のものであれば任意のものとすることができ、例えば、化粧用のリップブラシ、アイシャドウブラシ、アイライナーブラシ、アイシャドウブラシ、アイブロウブラシ、シャドウチップブラシ等に具体化することができ、更に、化粧用のスパイラルブラシ等の特殊な形状のブラシに具体化することも可能である。なお、前記案内部３１２は、実施の形態１のキャップ付筆記具と同様に、本体３１０において支持部３１１より先端側の所定長部分を構成し、案内部３１２の基端側の略半分（後半分）の外周面（表面）には、実施の形態１の案内溝１５と同様の構成（傾斜角度、角度範囲、溝幅、溝端の保持部等）の螺旋曲線からなる案内溝３１５が形成されている。【００３５】
一方、キャップ３２０は、実施の形態１と同様にして、本体３１０の案内溝３１５に挿着自在な第１及び第２の嵌合部を、本体３１０の案内溝３１５に対応するよう案内溝３１５の基端側及び先端側にそれぞれ一体的に配置している。なお、案内溝３１５に対する第１及び第２の係合凸部の構成（離間配置間隔、配置角度間隔、装着状態等）は、実施の形態１における案内溝１５に対する第１の係合凸部２１及び第２の係合凸部２２の場合と同様であり、実施の形態１の場合と同様にして、本体３１０の案内部３１２に対してキャップ３２０を正逆方向に回転することにより、第１及び第２の係合凸部が本体３１０の案内溝３１５に沿って移動案内され、本体３１０の案内部３１２に沿ってキャップ３２０を軸方向に前進及び後退自在となっている。また、キャップ３２０は、本体３１０の案内部３１２に対応した先端へ向かって若干縮径するテーパー状の略円筒形状をなし、本体３１０のブラシ部３１３が露出できるようブラシ部３１３の最大径より若干大径の円形開口を先端に有している。ここで、実施の形態１と同様、キャップ３２０は、第１の係合凸部を本体３１０の案内溝３１５の基端に配置したときに、ブラシ部３１３を先端から露出して化粧用料の塗布の用に供する露出位置となる。このとき、第２の係合凸部は、案内溝３１５の中央に位置する。一方、キャップ３２０は、第２の係合凸部を本体３１０の案内溝３１５の先端に配置したときに、ブラシ部３１３を円形開口の先端から内部に完全に没入させて保護する保護位置となる。このとき、第１の係合凸部は、案内溝３１５の中央に位置する。また、キャップ３２０は、実施の形態１の摺接端面２０ａと同様の構成の摺接端面を基端に有する一方、本体３１０は、実施の形態１の摺接段差面１１ａと同様の構成の接段差面を案内部３１２の基端に有している。そして、実施の形態１と同様にして、キャップ３２０を正逆回転して露出位置と保護位置との間で前進後退するときに、本体３１０の案内溝３１５におけるキャップ３２０の第１及び第２の係合凸部２の移動案内と、本体３１０の摺接段差面に対するキャップ３２０の摺接端面の摺接案内との協働により、本体３１０に対してキャップ３２０を移動案内するようになっている。【００３６】
次に、実施の形態４に係るキャップ付化粧ブラシの使用方法並びに作用及び効果を、図１４〜図１５を参照して説明する。実施の形態４のキャップ付化粧ブラシは、使用時には、図１４（ａ）、図１５（ａ）に示すように、キャップ３２０を露出位置とし、ブラシ部３１３がキャップ３２０の先端から外部に完全に露出しており、ブラシ部３１３による化粧用料の塗布が可能となっている。このとき、実施の形態１の場合と同様、キャップ３２０の摺接端面は、本体３１０の摺接段差面に３６０度の範囲で当接している。この状態から、キャップ３２０を正回転していくと、実施の形態１の場合と同様にして、第１及び第２の係合凸部が本体３１０の案内溝３１５に沿って移動案内されると共に、摺接端面の湾曲状先鋭部が本体３１０の摺接段差面上を摺接案内され、キャップ３２０が、図１４（ｂ）、図１５（ｂ）から図１４（ｃ）、図１５（ｃ）の状態を経て、最終的に、図１４（ｄ）、図１５（ｄ）に示すように、保護位置となり、ブラシ部３１３がキャップ３１０内部に完全に没入する。このようにして、実施の形態４に係るキャップ付化粧ブラシは、実施の形態１と同様の作用及び効果を発揮する。【００３７】
実施の形態５
図１６及び図１７に示すように、実施の形態５では、キャップ付日用具は、実施の形態４と同様、キャップ付化粧筆の一種であるキャップ付化粧ブラシに具体化されている。詳細には、実施の形態５は、上記実施の形態１の主要構成を大径のキャップ付化粧ブラシに具体化したものである。より詳細には、実施の形態５に係るキャップ付化粧ブラシでは、本体４１０は、円筒状をなす支持部４１１の先端に、それより若干小径の円筒状をなす案内部４１２を一体形成した略段付円筒状をなしている。また、本体４１０は、案内部４１２の先端面から突出するよう案内部４１２の先端にかしめ等により一体的に固着された化粧用塗布部としてのブラシ部４１３を有している。ブラシ部４１３は、外部の頬紅剤等の化粧用料を使用者の頬等に塗布する比較的大径の筆状乃至筆穂状のものである。ブラシ部４１３は、大径の筆状乃至筆穂状のものであれば任意のものとすることができ、例えば、化粧用のチークブラシ、パウダーブラシ、フィニッシングブラシ等に具体化することができる。なお、前記案内部４１２は、実施の形態１のキャップ付筆記具と同様に、本体４１０において支持部４１１より先端側の所定長部分を構成し、案内部４１２の基端側の略半分（後半分）の外周面（表面）には、実施の形態１の案内溝１５と同様の構成（傾斜角度、角度範囲、溝幅、溝端の保持部等）の螺旋曲線からなる案内溝４１５が形成されている。【００３８】
一方、キャップ４２０は、実施の形態１と同様にして、本体４１０の案内溝４１５に挿着自在な第１及び第２の嵌合部を、本体４１０の案内溝４１５に対応するよう案内溝４１５の基端側及び先端側にそれぞれ一体的に配置している。なお、案内溝４１５に対する第１及び第２の係合凸部の構成（離間配置間隔、配置角度間隔、装着状態等）は、実施の形態１における案内溝１５に対する第１の係合凸部２１及び第２の係合凸部２２の場合と同様であり、実施の形態１の場合と同様にして、本体４１０の案内部４１２に対してキャップ４２０を正逆方向に回転することにより、第１及び第２の係合凸部が本体４１０の案内溝４１５に沿って移動案内され、本体４１０の案内部４１２に沿ってキャップ４２０を軸方向に前進及び後退自在となっている。また、キャップ４２０は、本体４１０の案内部４１２に対応した先端へ向かって若干縮径するテーパー状の略円筒形状をなし、本体４１０のブラシ部４１３が露出できるようブラシ部４１３の最大径より若干大径の円形開口を先端に有している。ここで、実施の形態１と同様、キャップ４２０は、第１の係合凸部を本体４１０の案内溝４１５の基端に配置したときに、ブラシ部４１３を先端から露出して化粧用料の塗布の用に供する露出位置となる。このとき、第２の係合凸部は、案内溝４１５の中央に位置する。一方、キャップ４２０は、第２の係合凸部を本体４１０の案内溝４１５の先端に配置したときに、ブラシ部４１３を円形開口の先端から内部に完全に没入させて保護する保護位置となる。このとき、第１の係合凸部は、案内溝４１５の中央に位置する。また、キャップ４２０は、実施の形態１の摺接端面２０ａと同様の構成の摺接端面を基端に有する一方、本体４１０は、実施の形態１の摺接段差面１１ａと同様の構成の接段差面を案内部４１２の基端に有している。そして、実施の形態１と同様にして、キャップ４２０を正逆回転して露出位置と保護位置との間で前進後退するときに、本体４１０の案内溝４１５におけるキャップ４２０の第１及び第２の係合凸部２の移動案内と、本体４１０の摺接段差面に対するキャップ４２０の摺接端面の摺接案内との協働により、本体４１０に対してキャップ４２０を移動案内するようになっている。【００３９】
次に、実施の形態５に係るキャップ付化粧ブラシの使用方法並びに作用及び効果を、図１６〜図１７を参照して説明する。実施の形態５のキャップ付化粧ブラシは、使用時には、図１６（ａ）、図１７（ａ）に示すように、キャップ４２０を露出位置とし、ブラシ部４１３がキャップ４２０の先端から外部に完全に露出しており、ブラシ部４１３による化粧用料の塗布が可能となっている。このとき、実施の形態１の場合と同様、キャップ４２０の摺接端面は、本体４１０の摺接段差面に３６０度の範囲で当接している。この状態から、キャップ４２０を正回転していくと、実施の形態１の場合と同様にして、第１及び第２の係合凸部が本体４１０の案内溝４１５に沿って移動案内されると共に、摺接端面の湾曲状先鋭部が本体４１０の摺接段差面上を摺接案内され、キャップ４２０が、図１６（ｂ）、図１７（ｂ）から図１６（ｃ）、図１７（ｃ）の状態を経て、最終的に、図１６（ｄ）、図１７（ｄ）に示すように、保護位置となり、ブラシ部４１３がキャップ４１０内部に完全に没入する。このようにして、実施の形態５に係るキャップ付化粧ブラシは、実施の形態１と同様の作用及び効果を発揮する。
【産業上の利用可能性】
【００４０】
本発明に係るキャップ付日用具は、筆記具としては、ボールペン、万年筆等、本来、キャップを有する筆記具のみならず、プラスチック製等の本体の先端から鉛筆の芯を露出した簡易鉛筆等、本来、キャップを有しないものの本体に上記のようなキャップを装着した筆記具にも適用でき、各種用途の筆記具に適用できる。また、本発明に係るキャップ付日用具は、上記実施の形態に示すように、キャップ付筆記具の他、キャップ付化粧用具、キャップ付印鑑等に適用することができるが、これ以外にも、本体の案内部の先端に突起状等の被保護部（筆記部、印面、塗布部、印写部、投射部、投影部、描画部、着色部等）を設け、被保護部の非使用時には被保護部の全体をキャップの内部に完全に没入して保護し、被保護部の使用時には被保護部の全体をキャップの外部に露出して筆記、塗布、印写、投射、投影、描画、着色等の使用に供する必要のある任意の日用具に適用することができる。
【図１】
0004516117.tif 000002
【図２】
0004516117.tif 000003
【図３】
0004516117.tif 000004
【図４】
0004516117.tif 000005
【図５】
0004516117.tif 000006
【図６】
0004516117.tif 000007
【図７】
0004516117.tif 000008
【図８】
0004516117.tif 000009
【図９】
0004516117.tif 000010
【図１０】
0004516117.tif 000011
【図１１】
0004516117.tif 000012
【図１２】
0004516117.tif 000013
【図１３】
0004516117.tif 000014
【図１４】
0004516117.tif 000015
【図１５】
0004516117.tif 000016
【図１６】
0004516117.tif 000017
【図１７】
0004516117.tif 000018